(57)【要約】【課題】多部数印刷物において、印刷物間の色再現を安定化させる。【解決手段】本発明は、広告印刷物の中で用いられる被写体中のターゲットの色を測定するステップ（１０２）と、前記ターゲットの色に対応する特色インキの色を測定するステップ（１０４）と、前記ターゲットの色と前記特色インキの色との色差が、所定の範囲内であるか否かを判定するステップ（１０５）と、被写体に対応する画像を準備するステップと、測定された特色インキの色に基づいて、前記画像を、前記特色インキとＣＭＹＫプロセス４色と含む多色で色分解するステップ（２０３，２０４）と、を含む。画像を色分解する前記ステップは、前記特色インキの色相分解設定において、特色インキの比率が、ＣＭＹプロセス３色を合計したインキの比率とほぼ同じ、又はその比率よりも大きくすることが好ましい。【選択図】  図２
2005014376.tif 000002
【特許請求の範囲】
【請求項１】
特色を用いた色管理方法であって、該方法は、
広告印刷物の中で用いられる被写体中のターゲットの色を測定するステップと、
前記ターゲットの色に対応する特色インキの色を測定するステップと、
前記ターゲットの色と前記特色インキの色との色差が、所定の範囲内であるか否かを判定するステップと、
被写体に対応する画像を準備するステップと、
測定された特色インキの色に基づいて、前記画像を、前記特色インキとＣＭＹＫプロセス４色と含む多色で色分解するステップと、
前記画像を、特色インキとＣＭＹＫプロセス４色と含む前記多色で、印刷するステップであって、印刷された特色インキの１００％の色が、前記測定された特色インキの色とほぼ一致するように管理される、ステップと、
を含む色管理方法。
【請求項２】
請求項１に記載の方法において、
画像を色分解する前記ステップが、前記画像の一部を、特色インキとＣＭＹＫプロセス４色と含む多色で色分解する、色管理方法。
【請求項３】
請求項１に記載の方法において、
画像を色分解する前記ステップが、前記特色インキの色相分解設定において、特色インキの比率が、ＣＭＹプロセス３色を合計したインキの比率とほぼ同じ、又はその比率よりも大きい、色管理方法。
【請求項４】
請求項１に記載の方法において、
画像を色分解する前記ステップにおいて、前記色分解された画像中の特色インキの比率が、前記色分解された画像中のＣＭＹプロセス３色を合計したインキの比率とほぼ同じ、又はその比率よりも大きい、色管理方法。
【請求項５】
請求項１に記載の方法において、
画像を印刷する前記ステップが、複数の印刷機で印刷する、色管理方法。
【請求項６】
特色を用いた色分解方法であって、該方法は、
広告印刷物の中で用いられる被写体中のターゲットの色を測定するステップと、
前記ターゲットの色に対応する特色インキの色を測定するステップと、
前記ターゲットの色と前記特色インキの色との色差が、所定の範囲内であるか否かを判定するステップと、
被写体に対応する画像を準備するステップと、
測定された特色インキの色に基づいて、前記画像を、前記特色インキとＣＭＹＫプロセス４色と含む多色で色分解するステップと、
を含む色分解方法。
【請求項７】
特色を用いた色分解方法であって、該方法は、
被写体に対応する画像を準備するステップと、
特色インキの色に基づいて、前記画像を、前記特色インキとＣＭＹＫプロセス４色と含む多色で色分解するステップであって、前記特色インキの色相分解設定において、特色インキの比率が、ＣＭＹプロセス３色を合計したインキの比率とほぼ同じ、又はその比率よりも大きい、ステップと、
を含む色分解方法。
【発明の詳細な説明】
【０００１】
【発明の属する技術分野】
本発明は、多部数印刷物における色管理方法に関連する。特に、本発明は、所定の色を、その所定の色に対応する特色とＣＭＹＫプロセス４色とを用いて印刷し、これにより、多部数印刷物において、色を安定して管理する方法に関連する。
【０００２】
【発明の背景】
雑誌、新聞などの印刷物は、しばしば、その中に、化粧品広告、車広告などの広告印刷物（広告ページ）を含む。このような印刷物を多部数作成する場合、例えば、同じ印刷物を複数の印刷機で大量に作成する場合、あるいは、同じ印刷物を同一の印刷機で長時間に渡って作成する場合など、印刷機毎に印刷物（又は広告ページ）の色再現が異なる、あるいは、印刷物（又は広告ページ）の色再現が変動する、という問題があった。また、広告印刷物（広告ページ）を異なる印刷物の中に多部数作成する場合、例えば、同じ広告ページを異なる雑誌の中で掲載する場合なども、印刷物毎に広告ページの色再現が異なる、という問題があった。
【０００３】
特に、広告の中でも、例えば、化粧品広告、車広告などのように、商品のイメージを広告（広告中の色）を介して消費者に伝達する場合、上記問題は、広告代理店、あるいは、広告依頼主にとって、より深刻な問題であった。
【０００４】
【発明が解決しようとする課題】
このような問題に鑑み、本発明の目的は、印刷物の色再現を安定化させることである。
【０００５】
また、本発明のもう１つの目的は、特色を用いて、印刷物の色再現を安定化させることである。
【０００６】
加えて、本発明の更なる目的は、多部数印刷物において、色再現が適切になされるように、新規な色管理方法、又は、新規な色分解方法を提供することである。
【０００７】
なお、本発明の別の目的は、以下の記載を通じて、明らかになるであろう。
【０００８】
【課題を解決するための手段】
上記の課題を達成するために、本発明は、ａ）広告印刷物の中で用いられる被写体中のターゲットの色を測定するステップと、ｂ）前記ターゲットの色に対応する特色インキの色を測定するステップと、ｃ）前記ターゲットの色と前記特色インキの色との色差が、所定の範囲内であるか否かを判定するステップと、ｄ）被写体に対応する画像を準備するステップと、ｅ）測定された特色インキの色に基づいて、前記画像を、前記特色インキとＣＭＹＫプロセス４色と含む多色で色分解するステップと、ｆ）前記画像を、特色インキとＣＭＹＫプロセス４色と含む前記多色で、印刷するステップであって、印刷された特色インキの１００％の色が、前記測定された特色インキの色とほぼ一致するように管理される、ステップと、を含む特色を用いた色管理方法である。
【０００９】
本発明の特色を用いた色管理方法において、ｅ）画像を色分解する前記ステップは、前記画像の一部を、特色インキとＣＭＹＫプロセス４色と含む多色で色分解することができる。
【００１０】
また、本発明の特色を用いた色管理方法において、ｅ）画像を色分解する前記ステップは、前記特色インキの色相分解設定において、特色インキの比率が、ＣＭＹプロセス３色を合計したインキの比率とほぼ同じ、又はその比率よりも大きくすることができる。
【００１１】
或いは、本発明の特色を用いた色管理方法において、ｅ）画像を色分解する前記ステップは、前記色分解された画像中の特色インキの比率が、前記色分解された画像中のＣＭＹプロセス３色を合計したインキの比率とほぼ同じ、又はその比率よりも大きくすることができる。
【００１２】
更に、本発明の特色を用いた色管理方法において、ｆ）画像を印刷する前記ステップは、複数の印刷機で印刷することができる。
【００１３】
また、上記の課題を達成するために、本発明は、ａ）広告印刷物の中で用いられる被写体中のターゲットの色を測定するステップと、ｂ）前記ターゲットの色に対応する特色インキの色を測定するステップと、ｃ）前記ターゲットの色と前記特色インキの色との色差が、所定の範囲内であるか否かを判定するステップと、ｄ）被写体に対応する画像を準備するステップと、ｅ）測定された特色インキの色に基づいて、前記画像を、前記特色インキとＣＭＹＫプロセス４色と含む多色で色分解するステップと、を含む、特色を用いた色分解方法である。
【００１４】
加えて、上記の課題を達成するために、本発明は、ａ）被写体に対応する画像を準備するステップと、ｂ）特色インキの色に基づいて、前記画像を、前記特色インキとＣＭＹＫプロセス４色と含む多色で色分解するステップであって、前記特色インキの色相分解設定において、特色インキの比率が、ＣＭＹプロセス３色を合計したインキの比率とほぼ同じ、又はその比率よりも大きい、ステップと、を含む、特色を用いた色分解方法である。
【００１５】
【発明の実施の形態】
以下に、本発明の実施形態について、図面を参照して説明する。
【００１６】
（多色の特定）
図１は、本発明の色管理方法において用いられる特色を特定する方法を説明するためのフローチャートである。
【００１７】
ステップＳ１０１において、化粧品広告、車広告などの広告印刷物（広告ページ）の中で用いられる被写体中のターゲットを特定する。ここで、一例を挙げれば、被写体は、例えば、化粧品広告（例えば、ファンデーション広告）の中で用いられる女性の顔を含む自然画であり、被写体中のターゲットは、例えば、その女性の顔肌上のファンデーション、又は、その女性の顔肌である。
【００１８】
ターゲットとして、例えば、ファンデーションを採用する場合、ターゲットは、具体的に、その広告中で用いられるファンデーションと同じ型番のファンデーションであることが好ましい。また、ターゲットは、その広告中で用いられるファンデーションと同色系のファンデーションを用いることもできる。例えば、ファンデーションは、メーカー毎に、オークル系、ベージュークル系、ピンクオークル系、ピンク系などに分類されているので、例えば、その広告中で用いられるファンデーションがオークル系であれば、ターゲットとして、オークル系のファンデーションを用いる。なお、ターゲットとして、その広告中で用いられるファンデーションと同色系のファンデーションを用いる場合、同じメーカーのファンデーションを用いることが好ましい。加えて、ファンデーションは、例えば、同色系のファンデーションの中でも、明るさ又は濃さ等に再分類されている場合、ターゲットとして、同じ明るさ又は濃さのファンデーションが好ましい。
【００１９】
また、ターゲットとして、例えば、女性の顔肌を採用する場合、ターゲットは、具体的に、例えば、写真フィルム（透過型写真原稿）又は写真（反射型写真原稿）に含まれる被写体中の女性の顔肌である。或いは、ターゲットは、具体的に、例えば、からスキャンされた画像であって、ディスプレイ上に映し出される画像に含まれる被写体中の女性の顔肌である。
【００２０】
あるいは、ターゲットとして、例えば、ファンデーション又は女性の顔肌を採用する場合、ターゲットは、具体的に、ファンデーション又は女性の顔肌に近い色を持つ色見本カラーパッチ（色見本印刷物）であってもよい。言い換えれば、ターゲットは、具体的に、現物のファンデーションと比較され、そのファンデーションの色に近い色を持つ色見本カラーパッチであってもよい。或いは、ターゲットは、具体的に、光源に照らされた中の女性の顔肌と比較され、その女性の顔肌の色に近い色を持つ色見本カラーパッチであってもよい。或いは、ターゲットは、具体的に、ディスプレイ上に映し出され画像中の女性の顔肌と比較され、その女性の顔肌の色に近い色を持つ色見本カラーパッチであってもよい。
【００２１】
ステップＳ１０２において、化粧品広告、車広告などの広告印刷物（広告ページ）の中で用いられる被写体中のターゲットの色を測定する。上の例において、ターゲットとして、例えば、ファンデーションを採用する場合、現物のファンデーションの色を測定する。或いは、上の例において、ターゲットとして、例えば、女性の顔肌を採用する場合、写真（反射型写真原稿）又は写真フィルム（透過型写真原稿）に含まれる被写体中の女性の顔肌の色を測定する。或いは、上の例において、ターゲットとして、例えば、女性の顔肌を採用する場合、ディスプレイ上に映し出される画像に含まれる被写体中の女性の顔肌の色を測定する。或いは、上の例において、ターゲットとして、例えば、ファンデーション又は女性の顔肌を採用する場合、ファンデーション又は女性の顔肌に近い色を持つ色見本カラーパッチの色を測定する。
【００２２】
ステップＳ１０２において、被写体中のターゲット（例えば、現物のファンデーション、写真、写真フィルム、ディスプレイ、又は色見本カラーパッチ）の色を測定する際、例えば、分光光度計を用いて、例えば、ＬＡＢ値と分光反射（透過）率とを測定する。このようなターゲットの色は、例えば、ＧｒｅｔａｇＭａｃｂｅｔｈ社から入手可能な「ＳｐｅｃｔｒｏＬｉｎｏ」を利用して、測定することができる。なお、分光光度計の代わりに、色差計を用いて、例えば、ＬＡＢ値だけを測定してもよい。
【００２３】
ステップＳ１０３において、ターゲットの色に対応する特色インキを生成する。具体的には、印刷インキ用ＣＣＭ（Ｃｏｍｐｕｔｅｒ  Ｃｏｌｏｒ  Ｍａｔｃｈｉｎｇ）ソフトウェアを用いる。より具体的には、ステップＳ１０２において測定された色（例えば、分光反射率）が、ＣＣＭソフトウェアに入力され、その入力された色と一致するように、予め記憶された複数のベースインキの中から、所定のベースインキ・セットが、所定の配合割合とともに、求められる。その後、所定の配合割合に従って、所定のベースインキ・セットが、配合され、その結果、特色インキが、生成される。このような特色インキは、例えば、ＧｒｅｔａｇＭａｃｂｅｔｈ社から入手可能な「Ｉｎｋ  Ｆｏｒｍｕｌａｔｉｏｎ４．０」を利用して、生成することができる。なお、ターゲットして、色見本カラーパッチを用いる場合、その色に対応する特色インキが、既に生成され、或いは販売されている場合、このステップＳ１０３、並びに、後述するステップＳ１０４及びＳ１０５を省略してもよい。
【００２４】
ステップＳ１０４において、特色インキの色を測定する。具体的には、所定の紙の上に、所定のインキ膜厚で、印刷された特色インキの色（例えば、ＬＡＢ値、分光反射率）を、例えば、分光光度計を用いて測定する。
【００２５】
ステップＳ１０５において、ステップＳ１０３で生成された特色インキが、適切に配合されたか否かを判定する。具体的には、ステップＳ１０４において測定された色（例えば、分光反射率）が、印刷インキ用ＣＣＭソフトウェアに入力され、ステップＳ１０４で測定された特色インキの色が、ステップＳ１０２で測定されたターゲットの色と比較される。双方の色の差が、所定の許容範囲（例えば、ΔＥ≦１、ΔＥ≦２等）内であれば、ＣＣＭソフトウェアにおいて、特色インキが、適切に配合され、生成されたと判定される（ステップＳ１０５→ステップＳ２０３）。一方、双方の色の差が、所定の許容範囲（例えば、ΔＥ≦１、ΔＥ≦２等）外であれば、ＣＣＭソフトウェアにおいて、特色インキが、適切に配合されなかったと判定される（ステップＳ１０５→ステップＳ１０３）。
【００２６】
ステップＳ１０５において、特色インキが、適切に配合されなかったと判定される場合、特色インキは、再度、調合され（ステップＳ１０３）、再調合された特色インキの色は、再度、測定され（ステップＳ１０４）、ステップＳ１０５において、特色インキが、適切に配合されたと判定されまで、ステップＳ１０３及びステップＳ１０４が、繰り返される。
【００２７】
（特色とＣＭＹＫプロセス４色とを含む多色色分解）
図２は、本発明の色管理方法において用いられる多色色分解方法を説明するためのフローチャートである。
【００２８】
ステップＳ２０１において、被写体（例えば、ファンデーション広告の中で用いられる女性の顔を含む自然画）を含む原稿（例えば、写真フィルム）を準備する。具体的には、原稿（例えば、写真フィルム）をスキャナーでスキャンし、被写体を含む画像ファイルをスキャナー制御用ソフトで保存する。なお、画像ファイルのファイル形式は、適宜の形式であり、例えば、ＲＧＢ形式、ＣＭＹＫ形式等である。
【００２９】
ステップＳ２０２において、画像（被写体）のうち、特色を用いて色分解したい領域を切り抜く。具体的には、画像（被写体）を、Ａｄｏｂｅ社から入手可能な「Ｐｈｏｔｏｓｈｏｐ」等の画像アプリケーションソフトを利用して、パソコンに取り込み、ディスプレイ上に画像を表示させた状態で、その画像（被写体）の一部（例えば、女性の顔肌領域及び周辺肌領域）を、ペンツール、なげなわツールなどの適宜の手法で選択し、その画像の一部のみの色情報を持つ切り抜き画像ファイルを作成する。なお、画像の一部ではなく、画像全体を、特色を用いて色分解してもよい。この場合、ステップＳ２０２及び後述のステップＳ２０５を省略することができる。
【００３０】
ステップＳ２０３において、多色色分解アプリケーションソフトにおける特色を指定する。具体的には、多色色分解アプリケーションソフトの特色設定において、その特色の色を設定する。より具体的には、特色の色を、例えば、先のステップＳ１０４で測定された特色インキの色（例えば、ＬＡＢ値、ＨＳＢ値、分光反射率等）で、指定する。なお、特色の設定方法は、多色色分解アプリケーションソフトに依存する。特色設定において、例えば、ＶＩＳＵ  Ｔｅｃｈｎｏｌｏｇｉｅｓ社から入手可能な「ＩＣＩＳＳ  ２．０」を利用する場合、特色の設定方法は、ＨＳＢ値で行う。従って、このアプリケーションソフトを利用し、また、ステップＳ１０４で測定された特色インキの色が、ＬＡＢ値の場合、そのＬＡＢ値に対応するＨＳＢ値をそのアプリケーションソフトに入力する。
【００３１】
なお、ＬＡＢ値のＬ値、Ａ値及びＢ値は、それぞれ、明度（輝度）、緑と赤のどちらに近いか、青と黄色のどちらに近いかを表し、ＨＳＢ値のＨ値、Ｓ値及びＢ値は、それぞれ、色相、彩度、明度を表す。
【００３２】
ステップＳ２０４において、ステップＳ２０３で設定された特色設定を用いて、切り抜き画像（例えば、女性の顔肌領域及び周辺肌領域）を多色色分解する。具体的には、多色色分解アプリケーションソフトの多色設定において、その特色とＣＭＹＫプロセス４色とからなる多色を設定する。さらに、多色色分解アプリケーションソフトの色分解設定において、その特色とＣＭＹプロセス３色（墨又はグレーを除くカラー色相ないし彩度を表すインキ）との比率を設定する。好ましくは、色分解される画像中の特色インキの比率が、色分解される画像中のＣＭＹプロセス３色を合計したインキの比率とほぼ同じ、又はその比率よりも大きくなるように、特色とＣＭＹプロセス３色との比率を設定する（後述の図６の説明を参照）。このように、特定の領域（例えば、女性の顔肌領域及び周辺肌領域）において、特色ないしターゲットの色に近い色を、特色だけ（特色のグラデーション）で表現するのではなく、陰影部分をＣＭＹプロセス３色ないしＣＭＹＫプロセス４色で補色することにより、特定の領域の色を良好に再現することができる。
【００３３】
ステップＳ２０５において、ステップＳ２０４で色分解された切り抜き画像を元の画像と統合し、マルチチャネル形式で保存する。これにより、統合された画像において、特色を用いて色分解された領域は、ＣＭＹＫプロセス４色と特色とで表現され、それ以外の領域は、ＣＭＹＫプロセス４色で表現される。なお、ステップＳ２０１ないしステップＳ２０２において、元の画像（被写体）のファイル形式が、ＣＭＹＫ形式以外の形式（例えば、ＲＧＢ形式）であれば、ステップＳ２０５の前に、その画像のファイル形式を、スキャナー制御用ソフト、画像アプリケーションソフト、多色色分解アプリケーションソフトなどで、ＣＭＹＫ形式に変換する。
【００３４】
（プリプレス）
次に、ステップＳ２０５で作成された、マルチチャネル形式（多色形式）の画像ファイルを含む広告ページを、見本刷り印刷する。この際、印刷濃度を管理するために、通常、広告ページとともに、色パッチ（例えば、シアン１００％、マゼンタ１００％、イエロー１００％、ブラック１００％、特色１００％）も、見本刷り印刷される。そこで、見本刷り印刷において、特色１００％の色（例えば、ＬＡＢ値）は、その特色インキの色（ステップＳ１１０で測定されたＬＡＢ値）とほぼ一致する（所定の許容範囲（例えば、ΔＥ≦１）内）ように、管理され、見本刷り印刷される。
【００３５】
（プレス）
プリプレスと同様に、マルチチャネル形式（多色形式）の画像ファイルを含む広告ページを、本刷り印刷する。この際も、特色１００％の色（例えば、ＬＡＢ値）は、その特色インキの色（ステップＳ１１０で測定されたＬＡＢ値）とほぼ一致する（所定の許容範囲（例えば、ΔＥ≦２）内）ように、管理され、本刷り印刷される。
【００３６】
（多色色分解の具体例）
図３は、ステップＳ２０１で準備される画像の一例を示す。図３中の波線は、画像（被写体）のうち、特色を用いて色分解したい領域を示す。図４ａ〜ｄは、従来のＣＭＹＫ形式の画像を表し、図４ａ、ｂ、ｃ及びｄは、それぞれ、シアン、マゼンタ、イエロー、及びブラックの画像を示す。図５ａ〜ｅは、本発明に従って、特色とＣＭＹＫプロセス４色とからなる多色で、色分解されたマルチチャネル形式（多色形式）の画像を表し、図５ａ、ｂ、ｃ、ｄ及びｅは、それぞれ、特色、シアン、マゼンタ、イエロー、及びブラックの画像を示す。図５に示すように、画像の一部が、特色を用いて色分解される。
【００３７】
図６は、ステップＳ２０４における特色とＣＭＹプロセス３色との比率設定において、特色の比率が５０％以上に設定された一例を示す。図６は、ステップＳ２０４における特色とＣＭＹプロセス３色との比率設定の具体的な例、即ち、特色インキの色相分解設定の一例を示す。例えば、ステップＳ２０３において、特色インキの色相（Ｈ）が、２２．５であった場合、図６に示すように、色相２０の色に対して、特色、マゼンタ及びイエローのそれぞれの比率が、１００、４８、３７に設定されている（図中の矢印を参照）。なお、色相２０の色に対して、シアンの比率は、０に設定されている。このように、図６に示す一例において、特色インキの比率（１００）が、ＣＭＹプロセス３色を合計したインキの比率（４８＋３７＝８５）よりも大きくなるように設定される。
【００３８】
（実施形態の効果）
本発明の色管理方法の利点を確認するために、サンプル画像Ａとサンプル画像Ｂとを準備した（ステップＳ２０１）。画像Ａ及び画像Ｂは、互いに異なる画像であり、画像Ａ及び画像Ｂのいずれも、化粧品広告（例えば、ファンデーション広告）の中で用いられる女性の顔を含む自然画である。なお、画像Ａ及び画像Ｂは、図示されておらず、図３中の画像と異なる。
【００３９】
（Ｉ．サンプル画像Ａ）
まず、ＣＭＹＫ形式のサンプル画像Ａから、マルチチャネル（ＣＭＹＫ＋特色）形式のサンプル画像Ａを準備した（ステップＳ２０１〜ステップＳ２０５）。より具体的には、ステップＳ１０１でターゲットとして、ファンデーションを採用し、ステップＳ１０２でターゲットの色を測定し（（Ｌ，Ａ，Ｂ）＝（６８．２０，１２．４３，２３．３９））、ステップＳ１０３で特色を調合し（金赤：隅：黄：紅：メジューム（インキ補助剤）＝６．９１：３．５２：１２．１３：０．５３：８１．４９）、ステップＳ１０３で特色の色を測定し（（Ｌ，Ａ，Ｂ）＝（６９．１９，１１．６０，２２．８７））、ステップＳ２０３でこの色を多色色分解アプリケーションソフトに設定した。なお、図７は、ステップＳ１０２及びＳ１０４で測定されたターゲット及び特色の分光反射率を示し、図中、ターゲットは、目的色として実線で表され、特色は、配合として波線で表される。
【００４０】
その後、ＣＭＹＫ形式のサンプル画像Ａ及びマルチチャネル（ＣＭＹＫ＋特色）形式のサンプル画像Ａのそれぞれのマゼンタに関してのみ、中間５０％が４０％になるように調子（トーン）補正を行った。このようにして準備した、１）ＣＭＹＫ形式のサンプル画像Ａ、２）マルチチャネル（ＣＭＹＫ＋特色）形式のサンプル画像Ａ、３）調子補正されたＣＭＹＫ形式のサンプル画像Ａ（Ｍ：５０％→４０％）、及び、４）調子補正されたマルチチャネル形式のサンプル画像Ａ（Ｍ：５０％→４０％）を、同一紙面上に、印刷した。
【００４１】
１）ＣＭＹＫ形式のサンプル画像Ａ及び３）調子補正されたＣＭＹＫ形式のサンプル画像Ａ（Ｍ：５０％→４０％）に関して、それぞれの画像ファイルにおける、ａ）顔肌内の額部分の網点指定％は、それぞれ、（Ｃ，Ｍ，Ｙ，Ｋ）＝（２，２１，２３，０）、（Ｃ，Ｍ，Ｙ，Ｋ）＝（２，１５，２３，０）であり、両サンプル間の色差は、ΔＥ＝３．６であった。また、それぞれの画像ファイルにおける、ｂ）顔肌内の頬部分の網点指定％は、それぞれ、（Ｃ，Ｍ，Ｙ，Ｋ）＝（１，２７，３０，０）、（Ｃ，Ｍ，Ｙ，Ｋ）＝（１，１９，２３，０）であり、両サンプル間の色差は、ΔＥ＝３．９であった。また、それぞれの画像ファイルにおける、ｃ）顔肌周辺内の首部分の網点指定％は、それぞれ、（Ｃ，Ｍ，Ｙ，Ｋ）＝（２０，５４，５９，０）、（Ｃ，Ｍ，Ｙ，Ｋ）＝（２０，４５，５６，０）であり、両サンプル間の色差は、ΔＥ＝１０．６４であった。これらの３点における色差の平均は、ΔＥ（平均）＝６．０７であった。
【００４２】
一方、２）マルチチャネル（ＣＭＹＫ＋特色）形式のサンプル画像Ａ及び４）調子補正されたマルチチャネル形式のサンプル画像Ａ（Ｍ：５０％→４０％）に関して、それぞれの画像ファイルにおける、ａ）顔肌内の額部分の網点指定％は、それぞれ、（Ｃ，Ｍ，Ｙ，Ｋ，特色）＝（１，７，１０，０，３５）、（Ｃ，Ｍ，Ｙ，Ｋ，特色）＝（１，５，１０，０，３５）であり、両サンプル間の色差は、ΔＥ＝０．９９であった。また、それぞれの画像ファイルにおける、ｂ）顔肌内の頬部分の網点指定％は、それぞれ、（Ｃ，Ｍ，Ｙ，Ｋ，特色）＝（１，１６，１４，０，４５）、（Ｃ，Ｍ，Ｙ，Ｋ，特色）＝（１，１４，１４，０，４５）であり、両サンプル間の色差は、ΔＥ＝１．４０であった。また、それぞれの画像ファイルにおける、ｃ）顔肌周辺内の首部分の網点指定％は、それぞれ、（Ｃ，Ｍ，Ｙ，Ｋ，特色）＝（１０，１５，１５，０，７２）、（Ｃ，Ｍ，Ｙ，Ｋ，特色）＝（１０，１３，１５，０，７２）であり、両サンプル間の色差は、ΔＥ＝２．０６であった。これらの３点における色差の平均は、ΔＥ（平均）＝１．４６であった。
【００４３】
このように、特色を用いて印刷することにより、例えば、印刷機毎にマゼンタ色の調子再現が異なる場合であっても、印刷機間の色差が、小さくなること理解できる。言い換えれば、特色を用いて印刷することにより、印刷物の色再現を安定化させることができる。
【００４４】
（ＩＩ．サンプル画像Ｂ）
サンプル画像Ａと同様に、ＣＭＹＫ形式のサンプル画像Ｂから、マルチチャネル（ＣＭＹＫ＋特色）形式のサンプル画像Ｂを準備した（ステップＳ２０１〜ステップＳ２０５）。より具体的には、ステップＳ１０１でターゲットとして、色見本カラーパッチ（顔肌）を採用し、ステップＳ１０２でターゲットの色を測定し（（Ｌ，Ａ，Ｂ）＝（８５．７０，９．１５，１４．８４））、ステップＳ１０３で特色を調合し（金赤：黄：メジューム（インキ補助剤）＝１．９９：２．８０：９５．２１）、ステップＳ１０３で特色の色を測定し（（Ｌ，Ａ，Ｂ）＝（８６．１８，１０．５０，１４．８６））、ステップＳ２０３でこの色を多色色分解アプリケーションソフトに設定した。なお、図８は、ステップＳ１０２及びＳ１０４で測定されたターゲット及び特色の分光反射率を示す。
【００４５】
その後、ＣＭＹＫ形式のサンプル画像Ｂ及びマルチチャネル（ＣＭＹＫ＋特色）形式のサンプル画像Ｂのそれぞれのマゼンタに関してのみ、中間５０％が４０％になるように調子（トーン）補正を行った。このようにして準備した、１）ＣＭＹＫ形式のサンプル画像Ｂ、２）マルチチャネル（ＣＭＹＫ＋特色）形式のサンプル画像Ｂ、３）調子補正されたＣＭＹＫ形式のサンプル画像Ｂ（Ｍ：５０％→４０％）、及び、４）調子補正されたマルチチャネル形式のサンプル画像Ｂ（Ｍ：５０％→４０％）を、同一紙面上に、印刷した。
【００４６】
１）ＣＭＹＫ形式のサンプル画像Ｂ及び３）調子補正されたＣＭＹＫ形式のサンプル画像Ｂ（Ｍ：５０％→４０％）に関して、それぞれの画像ファイルにおける、ａ）顔肌内の眉周辺部分の網点指定％は、それぞれ、（Ｃ，Ｍ，Ｙ，Ｋ）＝（１，２２，１３，０）、（Ｃ，Ｍ，Ｙ，Ｋ）＝（１，１９，１３，０）であり、両サンプル間の色差は、ΔＥ＝６．１９であった。また、それぞれの画像ファイルにおける、ｂ）顔肌内の頬部分の網点指定％は、それぞれ、（Ｃ，Ｍ，Ｙ，Ｋ）＝（１，１８，１０，０）、（Ｃ，Ｍ，Ｙ，Ｋ）＝（１，１３，１０，０）であり、両サンプル間の色差は、ΔＥ＝２．４であった。また、それぞれの画像ファイルにおける、ｃ）顔肌周辺内の肩部分の網点指定％は、それぞれ、（Ｃ，Ｍ，Ｙ，Ｋ）＝（０，１６，９，０）、（Ｃ，Ｍ，Ｙ，Ｋ）＝（０，９，９，０）であり、両サンプル間の色差は、ΔＥ＝３．３８であった。これらの３点における色差の平均は、ΔＥ（平均）＝３．９であった。
【００４７】
一方、２）マルチチャネル（ＣＭＹＫ＋特色）形式のサンプル画像Ｂ及び４）調子補正されたマルチチャネル形式のサンプル画像Ｂ（Ｍ：５０％→４０％）に関して、それぞれの画像ファイルにおける、ａ）顔肌内の眉周辺部分の網点指定％は、それぞれ、（Ｃ，Ｍ，Ｙ，Ｋ，特色）＝（１，１４，２，０，３６）、（Ｃ，Ｍ，Ｙ，Ｋ，特色）＝（１，９，２，０，３６）であり、両サンプル間の色差は、ΔＥ＝２．３７であった。また、それぞれの画像ファイルにおける、ｂ）顔肌内の頬部分の網点指定％は、それぞれ、（Ｃ，Ｍ，Ｙ，Ｋ，特色）＝（１，７，２，０，３３）、（Ｃ，Ｍ，Ｙ，Ｋ，特色）＝（１，６，２，０，３３）であり、両サンプル間の色差は、ΔＥ＝１．１７であった。また、それぞれの画像ファイルにおける、ｃ）顔肌周辺内の肩部分の網点指定％は、それぞれ、（Ｃ，Ｍ，Ｙ，Ｋ，特色）＝（１，７，１，０，３２）、（Ｃ，Ｍ，Ｙ，Ｋ，特色）＝（１，５，１，０，３２）であり、両サンプル間の色差は、ΔＥ＝０．８７であった。これらの３点における色差の平均は、ΔＥ（平均）＝１．４９であった。
【００４８】
このように、ターゲットとして、色見本カラーパッチを採用し、その色見本カラーパッチに対応する特色を用いて印刷しても、印刷物の色再現を安定化させることができる。
【００４９】
なお、本発明を実施するにあたり、完全無現像タイプ（スイチャブルタイプ）のＣＴＰ版の採用は、現像処理による網点の変動が皆無な為、さらに有利である。
【図面の簡単な説明】
【図１】本発明の色管理方法において用いられる特色を特定する方法を説明するためのフローチャートである。
【図２】本発明の色管理方法において用いられる多色色分解方法を説明するためのフローチャートである。
【図３】ステップＳ２０１で準備される画像の一例を示す。
【図４ａ】従来のＣＭＹＫ形式の画像のうち、シアンの画像を示す。（なお、図４ａ中の画像の外の下地が、着色されているように示されているが、その下地の濃さに対応する実際の画像内のデータは、０％を表している。）
【図４ｂ】従来のＣＭＹＫ形式の画像のうち、マゼンタの画像を示す。（なお、図４ｂ中の下地の濃さに対応する実際の画像内のデータは、０％を表している。）
【図４ｃ】従来のＣＭＹＫ形式の画像のうち、イエローの画像を示す。（なお、図４ｃ中の下地の濃さに対応する実際の画像内のデータは、０％を表している。）
【図４ｄ】従来のＣＭＹＫ形式の画像のうち、ブラックの画像を示す。（なお、図４ｄ中の下地の濃さに対応する実際の画像内のデータは、０％を表している。）
【図５ａ】本発明に従って、特色とＣＭＹＫプロセス４色とからなる多色で、色分解されたマルチチャネル形式（多色形式）の画像のうち、特色の画像を示す。（なお、図５ａ中の画像の外の下地が、着色されているように示されているが、その下地の濃さに対応する実際の画像内のデータは、０％を表している。）
【図５ｂ】本発明に従って、特色とＣＭＹＫプロセス４色とからなる多色で、色分解されたマルチチャネル形式（多色形式）の画像のうち、シアンの画像を示す。（なお、図５ｂ中の下地の濃さに対応する実際の画像内のデータは、０％を表している。）
【図５ｃ】本発明に従って、特色とＣＭＹＫプロセス４色とからなる多色で、色分解されたマルチチャネル形式（多色形式）の画像のうち、マゼンタの画像を示す。（なお、図５ｃ中の下地の濃さに対応する実際の画像内のデータは、０％を表している。）
【図５ｄ】本発明に従って、特色とＣＭＹＫプロセス４色とからなる多色で、色分解されたマルチチャネル形式（多色形式）の画像のうち、イエローの画像を示す。（なお、図５ｄ中の下地の濃さに対応する実際の画像内のデータは、０％を表している。）
【図５ｅ】本発明に従って、特色とＣＭＹＫプロセス４色とからなる多色で、色分解されたマルチチャネル形式（多色形式）の画像のうち、ブラックの画像を示す。（なお、図５ｅ中の下地の濃さに対応する実際の画像内のデータは、０％を表している。）
【図６】ステップＳ２０４における特色とＣＭＹプロセス３色との比率設定において、特色の比率が５０％以上に設定された一例を示す。
【図７】ステップＳ１０２及びＳ１０４で測定されたターゲット及び特色の分光反射率の一例を示す。
【図８】ステップＳ１０２及びＳ１０４で測定されたターゲット及び特色の分光反射率の他の一例を示す。
【図１】
2005014376.tif 000003
【図２】
2005014376.tif 000004
【図３】
2005014376.tif 000005
【図４ａ】
2005014376.tif 000006
【図４ｂ】
2005014376.tif 000007
【図４ｃ】
2005014376.tif 000008
【図４ｄ】
2005014376.tif 000009
【図５ａ】
2005014376.tif 000010
【図５ｂ】
2005014376.tif 000011
【図５ｃ】
2005014376.tif 000012
【図５ｄ】
2005014376.tif 000013
【図５ｅ】
2005014376.tif 000014
【図６】
2005014376.tif 000015
【図７】
2005014376.tif 000016
【図８】
2005014376.tif 000017